(57)【要約】      （修正有）【課題】賞味期限がせまっている商品をレシートに印字する。【解決手段】商品の識別子を入力する入力手段と、現在の日を計時する計時手段と、商品の識別子に対応して商品の賞味期限を記憶する記憶部から、前記入力手段により入力された識別子に対応する商品の賞味期限を取得する取得手段と、前記計時手段による値と前記取得手段により取得した値を比較して閾値を超えているかを検知する検知手段と、前記検知手段により閾値を超えていると検知すると、当該商品に賞味期限が近いことをレシートに印字する印字手段と、を有することを特徴とする商品データ処理装置。【選択図】図４
2012059166.tif 000002
【特許請求の範囲】
【請求項１】
商品の識別子を入力する入力手段と、
現在の日を計時する計時手段と、
商品の識別子に対応して商品の賞味期限を記憶する記憶部から、前記入力手段により入力された識別子に対応する商品の賞味期限を取得する取得手段と、
前記計時手段による値と前記取得手段により取得した値を比較して閾値を超えているかを検知する検知手段と、
前記検知手段により閾値を超えていると検知すると、当該商品に賞味期限が近いことをレシートに印字する印字手段と、
を有することを特徴とする商品データ処理装置。
【請求項２】
前記記憶部は２次元コードであり、
前記入力手段は前記２次元コードから商品の識別子が入力され、
前記取得手段は２次元コードから商品の賞味期限を取得することを特徴とする請求項１に記載の商品データ処理装置。
【請求項３】
前記レシートに印字する印字手段は、前記入力手段により入力された識別子に対応する商品名と単価とを商品情報記憶部から取得し、当該商品情報とともに印字することを特徴とする請求項１又は２に記載の商品データ処理装置。
【請求項４】
コンピュータに、
商品の識別子を入力する入力機能と、
現在の日を計時する計時機能と、
商品の識別子に対応して商品の賞味期限を記憶する記憶部から、前記入力機能により入力された識別子に対応する商品の賞味期限を取得する取得機能と、
前記計時機能による値と前記取得機能により取得した値を比較して閾値を超えているかを検知する検知機能と、
前記検知機能により閾値を超えていると検知すると、当該商品に賞味期限が近いことをレシートに印字する印字機能と、
実現させるための商品データ処理装置のプログラム。
【発明の詳細な説明】
【技術分野】
【０００１】
本発明の実施形態はＰＯＳ端末などの商品データ処理装置に関する。
【背景技術】
【０００２】
例えば小売店などで食品を販売する場合、顧客に賞味期限間近の商品を販売する場合がある。
【先行技術文献】
【特許文献】
【０００３】
【特許文献１】特開平１１−６６４３４号公報
【発明の概要】
【発明が解決しようとする課題】
【０００４】
しかし、賞味期限間近の商品であるため、当該商品を購入した顧客は、その期限を超過してしまうおそれがある。
【課題を解決するための手段】
【０００５】
そこで上記課題を解決するため、本発明の実施形態では次のような手段を講じている。商品の識別子を入力する入力手段と、現在の日を計時する計時手段と、商品の識別子に対応して商品の賞味期限を記憶する記憶部から、前記入力手段により入力された識別子に対応する商品の賞味期限を取得する取得手段と、前記計時手段による値と前記取得手段により取得した値を比較して閾値を超えているかを検知する検知手段と、前記検知手段により閾値を超えていると検知すると、当該商品に賞味期限が近いことをレシートに印字する印字手段と、を有することを特徴とする商品データ処理装置である。
【図面の簡単な説明】
【０００６】
【図１】本発明の一実施形態のＰＯＳ端末のブロック図
【図２】本発明の一実施形態のＰＬＵファイルの構成を示す説明図
【図３】本発明の一実施形態の取引ファイルの構成を示す説明図
【図４】本発明の一実施形態の商品データ処理のフローチャート
【発明を実施するための形態】
【０００７】
以下に本発明の実施の形態の一例を図面を用いて説明する。なお、本実施の形態では商品データ処理装置の一例としてＰＯＳ端末を例に説明する。
【実施例１】
【０００８】
図１は本実施例で使用するＰＯＳ端末５０のブロック図である。このＰＯＳ端末５０には、演算装置・制御装置としてのＣＰＵ１を設ける。このＣＰＵ１には、アドレスバス、データバスなどのバスライン２を介して、ＲＯＭ３（Ｒｅａｄ  Ｏｎｌｙ  Ｍｅｍｏｒｙ）、ＲＡＭ４（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）コントローラー５、キーボードコントローラー７、客用表示コントローラー９、店用表示コントローラー１１、プリンタコントローラー１３、タイマー１５Ｉ／Ｏ（Ｉｎｐｕｔ／Ｏｕｔｐｕｔ）ポート１６を接続する。前述した、これらの各コントローラーには、ＨＤＤ６、キーボード８、客用表示器１０、店用表示器１２、プリンタ１４を接続する。また、Ｉ／Ｏポート１６には、図示しないモードスイッチとドロワを接続する。
【０００９】
ＲＯＭ３には、ＣＰＵ１によって読み出されて当該ＣＰＵ１を様々な機能として働かせるプログラムや当該プログラムによるデータ処理の対象となる固定的なデータを格納する。ＲＡＭ４には、プログラムによるデータ処理の作業領域となるワークエリアなどの様々なメモリエリアが動的に形成する。また、このＲＯＭ３には賞味期限が迫っているか否かの閾値を記憶する。
【００１０】
ＨＤＤコントローラー５は、ＣＰＵ１などからの指令に応じてＨＤＤ６の所定領域に記憶されているデータやプログラムなどを読出し、この読出したデータやプログラムなどをバスライン２に送出したり、バスライン２から受取ったデータやプログラムなどをＨＤＤ６の所定領域に記憶したり、ＨＤＤ６に対するデータなどの読み書きの制御を行う。
【００１１】
キーボードコントローラー７は、キーボード８からの入力信号を処理し、操作されたキーに対応するキーコードなどをバスライン２に送出するものである。このキーボードコントローラー７に接続されているキーボード８は、テンキー、ＰＬＵキー、小計キー、預／現計キー、などを設ける。
【００１２】
客用表示コントローラー９は、顧客に対して取引結果などを表示する客用表示器１０を制御し、ＣＰＵ１などからの指令に応じてバスライン２から受取ったデータなどに基づく情報を客用表示器１０の画面に表示する。同様に、店用表示コントローラー１１は、キャッシャに対して取引結果などを表示する店用表示器１２の画面表示を制御する。
【００１３】
プリンタコントローラー１３は、用紙に所定の情報を印字する印字部や所定情報が印字された用紙を切断するカッターなどを備えたプリンタ１４を制御する。このプリンタコントローラー１３によって制御されるプリンタ１４は、ロール状に巻かれた状態で納められている長尺紙の端を印字の際に順次引き出して印字用紙として使用し、その引き出された長尺紙の端から順に印字部で印字を行うものである。この印字部で印字される情報は、ＣＰＵ１などからの指令に応じてバスライン２から受取ったデータなどに基づくものである。
【００１４】
タイマー１５は日時を計時する。
【００１５】
Ｉ／Ｏポート１６は、接続されているモードスイッチから入力された信号に基づいて所定のデータをバスラインに出力したり、ＣＰＵ１からの指令などに応じて接続されているドロワに起動信号を出力する。また、モードスイッチは、「登録」、「点検」、「精算」、などの電子キャッシュレジスタにおける各種業務モードの何れかのモードへと切り替えるための切替えスイッチで、鍵を用いて切替え操作をする。
【００１６】
また、ＨＤＤ６にはＰＬＵファイル２０と、取引ファイル３０とを記憶する。
【００１７】
このＰＬＵファイルは、図２に示すように、ＰＬＵコードに対応して商品名、単価、賞味期限を記憶する。具体的には、ＰＬＵコードをＰＬＵコードエリア２００１に、商品名を商品名エリア２００２に、単価を単価エリア２００３に、食品の賞味期限を賞味期限エリア２００４にそれぞれ記憶する。
【００１８】
取引ファイル３０は一取引における顧客が買上げる商品を記憶するファイルである。この取引ファイル３０はＰＬＵコードに対応して商品名、単価、賞味期限を記憶する。具体的には図３に示すように、ＰＬＵコードをＰＬＵコードエリア３００１に、商品名を商品名エリア３００２に、単価を単価エリア３００３に、買上個数を記憶する買上個数エリア３００４、食品の賞味期限を賞味期限エリア３００５にそれぞれ記憶する。また、各商品の単価と買上個数の小計を記憶する小計記憶エリア３００６からなる。
【００１９】
しかして、以上のようなハードウェア構成、ファイル構成からなるＰＯＳ端末５０において、ＣＰＵ１は、その動作モードとして「登録」業務が選択されているとき、予め設定されているプログラムに基づいて、図４示すデータ処理を実行する。
【００２０】
まず、Ｓ（ステップ）１として、ＰＬＵコードがＰＬＵキーを押下されることにより入力される。ＰＬＵコードが入力されると、入力されたＰＬＵコードに対応する商品名、単価、賞味期限をＰＬＵファイル２０の、商品名エリア２００２、単価エリア２００３、賞味期限エリア２００４から取得し、取引ファイルのＰＬＵコードエリア３００１、商品名エリア３００２、単価エリア３００３、賞味期限エリア３００５に記憶する。続いてテンキーにより商品の買上個数が入力されると、入力された値を取引ファイル３０の買上個数エリア３００４に記憶する（Ｓ２）。
【００２１】
続いて小計キーが押下されたか否かを判定する（Ｓ３）。小計キーが押下されないなら（Ｓ３のＮｏ）、Ｓ１に戻り再度ＰＬＵコードが入力される。
【００２２】
一方、小計キーが押下されたと判定するなら（Ｓ４）、取引ファイル３０単価エリア３００３と買上個数エリア３００４に記憶される、単価と買上個数とから小計金額を算出し、取引ファイル３０の小計エリア３００６に記憶する。そして、この金額を客用表示器１０と店用表示器１２に表示する（Ｓ５）。
【００２３】
続いてテンキーと預／現計とテンキーとを押下し、会計処理を行なう（Ｓ５）。
【００２４】
そして、取引ファイル３０の賞味期限エリアに記憶される賞味期限の日とタイマー１５が計時する現在の日時から、賞味期限が迫っている商品のＰＬＵコードを取得し、ＲＡＭ４に記憶する（Ｓ６）。  
【００２５】
そして、明細とともにＳ６にて取得した賞味期限が迫っている商品に注意マークをつけ、前記プリンタ１４からレシートを印字する。
【００２６】
以上により、本実施例ではレシートを印刷するとき、賞味期限の迫った商品にチェックを入れるので、顧客は食品の賞味期限が過ぎてしまうことを防止できる。
【００２７】
また、本実施例ではＰＬＵファイルはＰＯＳ端末が記憶したが、外部のサーバに記憶し、必要に応じてアクセスを行なってもよい。
【００２８】
また、本実施例ではＰＬＵファイルに賞味期限を記憶したが、2次元コードなどを用いて、賞味期限を取得してもよい。
【００２９】
また、本実施例ではＰＬＵファイルに賞味期限を記憶したが、賞味期限の残り日数を記憶してもよい。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
２０  ＰＬＵファイル
５０  ＰＯＳ端末
【図１】
2012059166.tif 000003
【図２】
2012059166.tif 000004
【図３】
2012059166.tif 000005
【図４】
2012059166.tif 000006